(57)【要約】【課題】放電ワイヤの全周を清掃部材と接触させ得るようにしてムラのない清掃を可能とし、放電ムラの発生と、放電ムラによる異常画像の発生を抑え得る画像形成装置を提供する。【解決手段】放電ワイヤ３の両端に、同期回転可能なワイヤ歯車４をそれぞれ設け、放電ワイヤ３に清掃部材５を接触させて設ける。清掃部材５は溝付きの穴６ａを設けた固定材６に固定する。固定部材６の穴６ａにスクリュー状に溝を設けた案内棒７を通し、固定部材の穴６ａと嵌合させる。モータ１１で案内棒７が回転すると、固定材６と清掃部材５が案内棒７のスクリュー溝に沿って軸方向に移動し、清掃部材５は放電ワイヤ３と接触して移動を行うと同時に、案内棒７の案内歯車８を介して放電ワイヤ３が回転するため、ムラなく放電ワイヤ３を清掃でき、放電ムラが発生しにくくなる。【選択図】　　　　図１
2004109404.tif 000002
【特許請求の範囲】
【請求項１】
放電ワイヤ方式の帯電チャージャを有する画像形成装置において、上記放電ワイヤの清掃を行う清掃部材を該放電ワイヤ方向に移動させる駆動装置を有し、該駆動装置が、上記放電ワイヤの両端部あるいは両端部近傍に、上記清掃部材の移動とともに上記放電ワイヤを回転駆動する回転伝達装置を備えることを特徴とする画像形成装置。
【請求項２】
請求項１の画像形成装置において、上記放電ワイヤの片側の回転伝達装置に代えて上記放電ワイヤの軸周りで回転可能な支持部材を備えることを特徴とする画像形成装置。
【請求項３】
請求項１の画像形成装置において、上記放電ワイヤの片側の回転伝達装置に代えて上記放電ワイヤの軸周りで回転可能な可動カムを備えるとともに、該可動カムを回転付勢する弾性部材を備え、上記清掃部材に固定カムを取り付け、該清掃部材が上記放電ワイヤの一側端部にきたときに上記可動カムと上記固定カムの係合によって上記放電ワイヤを軸周りでの回転初期位置に戻し、上記清掃部材の移動で上記可動カムと上記固定カムの係合が外れたときに上記放電ワイヤの軸周りでの回転を可能としてなることを特徴とする画像形成装置。
【発明の詳細な説明】
【０００１】
【発明の属する技術分野】
本発明は、感光体表面の帯電を行う放電ワイヤ方式の帯電チャージャを備えた画像形成装置に関する。
【０００２】
【従来の技術】
従来の放電ワイヤ方式の帯電チャージャ技術としては、清掃部材をバックプレートの側部外部から操作することにより、帯電器に設けた制御グリッドを取り外すことなく放電ワイヤを確実に清掃できるようにしたものがある（例えば特許文献１参照）。
【０００３】
【特許文献１】
特開平０５−１２７４９７号公報
【０００４】
【発明が解決しようとする課題】
上記従来の技術のような構成の場合、感光体方向の放電ワイヤ部は、感光体方向の距離が変動することを防ぐために、放電ワイヤの清掃を清掃部材が強く接触しない部分で行うため、感光体方向の清掃が不完全になることによって放電ムラが発生し、異常画像となることがあった。
【０００５】
本発明は、このような従来の問題点にかんがみ、放電ワイヤの全周を清掃部材と接触させ得るようにしてムラのない清掃を可能とし、放電ムラの発生と、放電ムラによる異常画像の発生を抑え得る画像形成装置を提供することを目的とする。
【０００６】
【課題を解決するための手段】
本発明の請求項１に係る画像形成装置は、上記目的を達成するために、放電ワイヤ方式の帯電チャージャを有する画像形成装置において、上記放電ワイヤの清掃を行う清掃部材を該放電ワイヤ方向に移動させる駆動装置を有し、該駆動装置が、上記放電ワイヤの両端部あるいは両端部近傍に、上記清掃部材の移動とともに上記放電ワイヤを回転駆動する回転伝達装置を備えることを特徴とする。
【０００７】
同請求項２に係るものは、上記目的を達成するために、請求項１の画像形成装置において、上記放電ワイヤの片側の回転伝達装置に代えて上記放電ワイヤの軸周りで回転可能な支持部材を備えることを特徴とする。
【０００８】
同請求項３に係るものは、上記目的を達成するために、請求項１の画像形成装置において、上記放電ワイヤの片側の回転伝達装置に代えて上記放電ワイヤの軸周りで回転可能な可動カムを備えるとともに、該可動カムを回転付勢する弾性部材を備え、上記清掃部材に固定カムを取り付け、該清掃部材が上記放電ワイヤの一側端部にきたときに上記可動カムと上記固定カムの係合によって上記放電ワイヤを軸周りでの回転初期位置に戻し、上記清掃部材の移動で上記可動カムと上記固定カムの係合が外れたときに上記放電ワイヤの軸周りでの回転を可能としてなることを特徴とする画像形成装置。ことを特徴とすることを特徴とする。
【０００９】
【発明の実施の形態】
以下本発明の実施の形態を図面を参照して説明する。
図１は本発明に係る画像形成装置の第１実施形態の要部である帯電チャージャユニット周りの概略構成を示す斜視図である。図示のように、ベルト状の感光体ユニット１の下側に帯電チャージャユニット２が配してあり、帯電チャージャユニット２の内部には、放電を行うための放電ワイヤ３が設けてある。
【００１０】
放電ワイヤ３の両端には、放電ワイヤ３と同期して回転を行うことが可能な回転伝達装置を構成するワイヤ歯車４がそれぞれ設けてある。また放電ワイヤ３には清掃部材５が接触させて設けてある。清掃部材５は、固定材６に固定してあり、固定部材６は、溝（図示せず）付きの穴６ａが設けてある。なお、回転伝達装置としては図示のような歯車列だけでなく、摩擦車列、巻き掛け伝道装置等々種々公知の手段を採用可能である。
【００１１】
固定部材６の穴６ａにはスクリュー状に溝を設けた案内棒７が通してあり、固定部材の穴６ａの溝と案内棒７のスクリュー状の溝とが嵌合している。案内棒７の両端には、ワイヤ歯車４と噛み合う案内歯車８がそれぞれ設けてある。案内棒７のモータ１１側には、案内歯車８よりも端部側にウォームホイール歯車９が設けてあり、ウォームホイール歯車９にはウォーム歯車１０が噛み合っている。ウォーム歯車１０はモータ１１と連結している。
【００１２】
この構成では、モータ１１が回転するとウォーム歯車１０とウォームホイール歯車９の噛み合いにより案内棒７が回転する。すると、固定材６と清掃部材５が案内棒７のスクリュー溝に沿って軸方向に移動を行う。このとき、清掃部材５は放電ワイヤ３と接触して移動を行うと同時に、案内棒７の案内歯車８を介して放電ワイヤ３が回転する。
【００１３】
すなわち放電ワイヤ３の清掃を行うために清掃部材５が案内軸７方向に移動した際、放電ワイヤ３が回転するため、放電ワイヤ３の全周が清掃部材５と接触することになり、ムラなく放電ワイヤ３を清掃できる。そのため放電ムラが発生しにくくなり、異常画像の発生を抑え得る。また、放電ワイヤ３の感光体１側には力が加わらないため、感光体１との距離はほぼ均等に保たれる。そして放電ワイヤ３の両側に駆動力が掛かるため、放電ワイヤ３に剛性がなくてネジレに弱い場合でもムラなく清掃される。
【００１４】
図２は、本発明に係る画像形成装置の第２実施形態の要部である帯電チャージャユニット周りの概略構成を示す斜視図である。この実施形態は、第１実施形態では２セット使用しているワイヤ歯車４と案内歯車８をモータ１１側の一セットだけにして、案内軸７のモータ１１側でない端部には、ワイヤ歯車４に代えて放電ワイヤ３を中心に回転可能な支点１２を設けてある。
【００１５】
この構成でも、図１の実施形態と同様に清掃部材５の移動が行われると放電ワイヤ３が回転し、ムラなく放電ワイヤ３を清掃でき、放電ワイヤの剛性が高くても対応できるようになっている。
【００１６】
図３は、本発明に係る画像形成装置の第３実施形態の要部である帯電チャージャユニット周りの概略構成を示す斜視図である。この実施形態は、第２実施形態と同様に支点１２を設けた側でワイヤ歯車４に代えて四分円状のワイヤカム１３と、弾性部材１４とを設け、固定部材６には固定材カム６ｂを設け、ワイヤカム１３と係合できるようにしてある。ワイヤカム１３は弾性部材１４の付勢力により放電ワイヤ３と同軸方向で回転するようになっている。なお弾性部材１４としては図示のようなスプリングだけでなく、板ばね、樹脂素材等々種々公知の手段を採用できる。
【００１７】
この構成では、清掃部材５を使用していないときにはワイヤカム１３側にモータ制御により清掃部材５が待機しており、ワイヤカム１３が固定材カム５ｂにより一定の状態へ復帰するように係合させるようにする。そして放電ワイヤ３の清掃が始まると、固定材６が移動してワイヤカム１３と固定材カム６ｂが外れ、弾性部材１４の力によりワイヤカム１３が９０度、放電ワイヤ３と同軸で回転し、放電ワイヤ３も同時に回転することでムラなく放電ワイヤ３を清掃できるようになっている。
【００１８】
【発明の効果】
請求項１に係る画像形成装置は、以上説明してきたように、放電ワイヤに剛性がなくネジレに弱い場合でも、感光体との距離を均等に保って、ムラなく放電ワイヤを清掃することが可能となり、放電ムラが発生しにくいため、異常画像の発生を抑えられるという効果がある。
【００１９】
請求項２に係る画像形成装置は、以上説明してきたように、上記請求項１と同様の効果に加え、放電ワイヤの剛性がある場合にも装置構成を安価に対応できるという効果がある。
【００２０】
請求項３に係る画像形成装置は、以上説明してきたように、上記請求項１と同様の効果に加え、感光体側の放電ワイヤの面を清掃部材の移動時に接触させて清掃できるという効果がある。
【図面の簡単な説明】
【図１】本発明に係る画像形成装置の第１実施形態の要部である帯電チャージャユニット周りの概略構成を示す斜視図である。
【図２】本発明に係る画像形成装置の第２実施形態の要部である帯電チャージャユニット周りの概略構成を示す斜視図である。
【図３】本発明に係る画像形成装置の第３実施形態の要部である帯電チャージャユニット周りの概略構成を示す斜視図である。
【符号の説明】
１　感光体ユニット
２　帯電チャージャユニット
３　放電ワイヤ
４　ワイヤ歯車
５　清掃部材
６　固定材
６ａ　溝付きの穴
７　案内棒
８　案内歯車
９　ウォームホイール歯車
１０　ウォーム歯車
１１　モータ
１２　支点
１３　ワイヤカム
１４　弾性部材
【図１】
2004109404.tif 000003
【図２】
2004109404.tif 000004
【図３】
2004109404.tif 000005